(57)【要約】      （修正有）【課題】リモコン装置単体の機能において、リモコン装置に設けられた表示部にテレビ番組の表示を行なう機能を有するリモコン装置を提供する。【解決手段】地上デジタル放送を受信するテレビを遠隔操作する遠隔操作手段と、地上デジタル放送のワンセグ放送を受信するワンセグ放送受信手段と、該ワンセグ放送受信手段で受信した番組を表示する表示手段とを設けた。【選択図】図１
2007306366.tif 000002
【特許請求の範囲】
【請求項１】
被制御機器を遠隔操作する遠隔操作手段と、
放送受信手段と、
該放送受信手段で受信した放送を表示する表示手段と、
を具備したことを特徴とするリモコン装置。
【請求項２】
請求項１に記載のリモコン装置において、
前記遠隔操作手段は、
被制御機器の電源の入／切を操作する第一の操作手段と、
リモコン装置本体の電源の入／切を操作する第二の操作手段と、
を具備していることを特徴とするリモコン装置。
【請求項３】
請求項１に記載のリモコン装置において、
前記遠隔操作手段は、被制御機器の電源の入／切を操作する操作手段を具備し、
該操作手段により前記被制御機器の電源を切る操作をした場合、同時に前記放送受信手段および表示手段への電源の供給を停止することを特徴とするリモコン装置。
【請求項４】
請求項１に記載のリモコン装置において、
前記遠隔操作手段は、前記表示手段で表示している放送の情報を前記被制御機器へ送信する手段を具備していることを特徴とするリモコン装置。
【請求項５】
請求項１に記載のリモコン装置において、
前記遠隔操作手段は、前記表示手段で表示している放送の情報および前記被制御機器に対して所定の動作をするように指示する情報を前記被制御機器へ送信する手段を具備していることを特徴とするリモコン装置。
【請求項６】
請求項１に記載のリモコン装置において、
リモコン装置本体のバッテリーの残量を検出する検出手段と、
該検出されたバッテリーの残量を表示する表示手段と、
を具備したことを特徴とするリモコン装置。
【請求項７】
請求項１に記載のリモコン装置において、
リモコン装置本体のバッテリーの残量を検出する検出手段を具備し、
該検出されたバッテリーの残量が予め定められた設定値以下になった場合、前記放送受信手段および表示手段への電源の供給を停止することを特徴とするリモコン装置。
【請求項８】
少なくとも地上デジタル放送を受信する機能を有した被制御機器を遠隔操作する遠隔操作手段と、
地上デジタル放送のワンセグ放送を受信するワンセグ放送受信手段と、
該ワンセグ放送受信手段で受信した放送を表示する表示手段と、
を具備したことを特徴とするリモコン装置。
【請求項９】
請求項８に記載のリモコン装置において、
前記遠隔操作手段は、
被制御機器の電源の入／切を操作する第一の操作手段と、
リモコン装置本体の電源の入／切を操作する第二の操作手段と、
を具備していることを特徴とするリモコン装置。
【請求項１０】
請求項８に記載のリモコン装置において、
前記遠隔操作手段は、被制御機器の電源の入／切を操作する操作手段を具備し、
該操作手段により前記被制御機器の電源を切る操作をした場合、同時に前記ワンセグ放送受信手段および表示手段への電源の供給を停止することを特徴とするリモコン装置。
【請求項１１】
請求項８に記載のリモコン装置において、
前記遠隔操作手段は、前記表示手段で表示している放送の情報を前記被制御機器へ送信する手段を具備していることを特徴とするリモコン装置。
【請求項１２】
請求項８に記載のリモコン装置において、
前記遠隔操作手段は、前記表示手段で表示している放送の情報および前記被制御機器に対して所定の動作をするように指示する情報を前記被制御機器へ送信する手段を具備していることを特徴とするリモコン装置。
【請求項１３】
請求項８に記載のリモコン装置において、
前記ワンセグ放送受信手段で電子番組表の情報を取得し、該電子番組表の情報を基に予約を設定する予約設定手段と、
該設定された予約情報を前記被制御機器へ送信する手段と、
を具備することを特徴とするリモコン装置。
【請求項１４】
請求項８に記載のリモコン装置において、
リモコン装置本体のバッテリーの残量を検出する検出手段と、
該検出されたバッテリーの残量を表示する表示手段と、
を具備したことを特徴とするリモコン装置。
【請求項１５】
請求項８に記載のリモコン装置において、
リモコン装置本体のバッテリーの残量を検出する検出手段を具備し、
該検出されたバッテリーの残量が予め定められた設定値以下になった場合、前記ワンセグ放送受信手段および表示手段への電源の供給を停止することを特徴とするリモコン装置。
【発明の詳細な説明】
【技術分野】
【０００１】
本発明は、テレビ受信機の操作を離れた場所から行なうリモコン装置に係り、特に、所謂裏番組の視聴をリモコン上で行なうものである。
【背景技術】
【０００２】
テレビ受信機の操作を行うリモコン装置に表示部を設け、かかる表示部にテレビ放送の映像を表示するものが特許文献１などに開示されている。
【特許文献１】特開２００２−１５８８８８号公報
【発明の開示】
【発明が解決しようとする課題】
【０００３】
特許文献１に開示された装置では、テレビ受信機に２つのチューナを設け、第一のチューナで受信した番組はテレビ受信機に表示し、第二のチューナで受信した番組は再度変調をして、リモコン装置に送信される。リモコン装置では、かかる変調された信号を受信し、復調して、リモコン装置に設けられた表示部に番組を表示する。
【０００４】
かかる特許文献１に記載された装置では、特定のテレビ受信機と特定のリモコン装置が組になって初めてその機能が発揮される。即ち、テレビ受信機に「受信した番組を再度変調してリモコン装置に送信する」という機能が無ければ、特許文献１に記載された発明は成立しないという課題がある。
【０００５】
本発明は、かかる課題を鑑み、テレビ受信機の機能によらず、リモコン装置単体の機能において、リモコン装置に設けられた表示部にテレビ番組の表示を行なう機能を有したリモコン装置を提供するものである。
【０００６】
尚、西暦２０１１年には、地上波テレビ放送はデジタル放送に完全移行する予定となっていることから、本発明での「テレビ受信機」とは、少なくとも地上デジタル放送を受信できる機能を有したテレビ受信機を想定している。
【課題を解決するための手段】
【０００７】
上記課題を解決するため、本発明は以下のような手段を講じた。
【０００８】
即ち、本発明にかかるリモコン装置は、被制御機器を遠隔操作する遠隔操作手段と、放送受信手段と、該放送受信手段で受信した放送を表示する表示手段とを具備したことを特徴とするものである。
【０００９】
より具体的には、少なくとも地上デジタル放送を受信する機能を有した被制御機器を遠隔操作する遠隔操作手段と、地上デジタル放送のワンセグ放送を受信するワンセグ放送受信手段と、該ワンセグ放送受信手段で受信した放送を表示する表示手段とを具備したことを特徴とするものである。
【００１０】
ここで、前記遠隔操作手段は、被制御機器の電源の入／切を操作する第一の操作手段と、リモコン装置本体の電源の入／切を操作する第二の操作手段とを具備するようにしても良い。
【００１１】
加えて、前記被制御機器の電源を切る操作をした場合、同時に前記放送受信手段および表示手段への電源の供給を停止するようにしても良い。
【００１２】
また、前記遠隔操作手段は、前記表示手段で表示している放送の情報を前記被制御機器へ送信する手段を具備していることが好ましい。
【００１３】
加えて、前記表示手段で表示している放送の情報および前記被制御機器に対して所定の動作をするように指示する情報を前記被制御機器へ送信する手段を具備していることが好ましい。
【００１４】
更に、リモコン装置本体のバッテリーの残量を検出する検出手段と、該検出されたバッテリーの残量を表示する表示手段とを具備することが好ましい。
【００１５】
ここで、該検出されたバッテリーの残量が予め定められた設定値以下になった場合、前記放送受信手段および表示手段への電源の供給を停止することが好ましい。
【００１６】
また、前記放送受信手段で電子番組表の情報を取得し、該電子番組表の情報を基に予約を設定する予約設定手段と、該設定された予約情報を前記被制御機器へ送信する手段と、を具備するようにしても良い。
【発明の効果】
【００１７】
本発明によれば、リモコン装置に設けられた表示部にテレビ番組を表示することができる。
【発明を実施するための最良の形態】
【００１８】
図１は、本発明の概念図である。
【００１９】
図１において、１０１はテレビ受信機であり、１０２はテレビ受信機に表示された番組の映像であり、１０３はリモコン装置であり、１０４はリモコン装置の表示部であり、１０５は地上デジタル放送の受信アンテナである。
【００２０】
従来の地上アナログ放送やＢＳ放送、ＣＳ放送などでは、その放送を受信するためには、屋外にアンテナを設けなければならなかった（屋内のアンテナでは、受信感度が悪く、視聴に耐えうる映像を得ることは困難であった）。
【００２１】
これに対し、地上デジタル放送の所謂ワンセグ放送では、地上デジタル放送が受信できる地域であれば屋外にアンテナを設置しなくても屋内のアンテナで良好に放送を受信することができる。
【００２２】
そのような状況から、本発明にかかるリモコン装置では、地上デジタル放送のワンセグ放送を受信するためのアンテナとチューナを装備し、かかるチューナで受信した地上デジタル放送の番組の映像を表示部１０４に表示するものである。
【００２３】
尚、地上デジタル放送は、放送する信号を１３のセグメントに分けて伝送する。その内の１２のセグメントを用いて通常の放送を行い、残りの１つのセグメントで移動体などでの受信を想定した放送を行う。この１つのセグメントを用いた放送を通称ワンセグ放送と称している。このワンセグ放送と通常の放送とは原則として同じ番組が放送されている。ワンセグ放送は、移動体での受信を想定しているため、ノイズに強い変調方式が採用されている。そのため、屋内などでも良好な受信感度を得ることができる。
【００２４】
まず、本発明にかかるリモコン装置の第一の実施形態について説明する。
（第一の実施形態）
図２は、本発明の第一の実施形態にかかるリモコン装置の外観図である。
【００２５】
図２において、２０１はリモコン装置本体であり、２０２は表示部であり、２０３は地上デジタル放送のワンセグ放送を受信するためのアンテナ（以下、アンテナという）であり、２０４はサービス選択などのためのテンキーであり、２０５はテレビ受信機操作とリモコン操作を切り換える切り換えスイッチであり、２０６はサービス番号送信ボタンである。
【００２６】
また、図３は、本発明の第一の実施形態にかかるリモコン装置のブロック図である。
【００２７】
図３において、３０１はアンテナであり、３０２は地上デジタル放送のワンセグ放送受信用チューナであり、３０３は受信した放送の映像信号および音声信号を復調、復号をする映像／音声信号処理部であり、３０４は映像信号を表示する映像表示部であり、３０５は音声信号を出力する音声出力部であり、３０６は使用者の操作を入力する操作入力部であり、３０７はリモコン装置全体の制御を司る制御部であり、３０８はリモコンコードなどをテレビ受信機に送信する送信部である。
【００２８】
以下、かかるリモコン装置による操作を場合を分けて説明する。
（１）テレビ受信機の操作をする場合
図１に示したテレビ受信機１０１を操作する場合は、図２に示した切り換えスイッチ２０５をテレビ側に設定する。そして、使用者は、図２に示したテンキー２０４を操作し、視聴を希望するサービス番号を選択する。
【００２９】
このような操作は、図３における操作入力部３０６に対する操作に該当する。制御部３０７は操作入力部３０６の操作に従って、所定のリモコンコードを発生させる。
【００３０】
このリモコンコードは送信部３０８からテレビ受信機１０１に向けて送信され、テレビ受信機はリモコンコードに従ったサービス番号の選択を行なう。
（２）リモコン装置の表示部に番組を表示する場合
図１に示したリモコン装置１０３の表示部１０４に番組を表示する場合は、図２に示した切り換えスイッチ２０５をリモコン側に設定する。
【００３１】
ここで、図３に示したモコン装置のブロック図において、アンテナ３０１で受信された地上デジタル放送のワンセグ放送はチューナ３０２に入力される。使用者が操作入力部３０６（具体的には、図２に示したテンキー２０４）で所望のサービス番号を選択すると、そのサービス番号情報が制御部３０７に入力される。制御部３０７はそのサービス番号情報を基にチューナ３０２で所定の伝送チャンネルを選局するように制御する。チューナ３０２で選局された放送は、映像／音声信号処理部３０３でデマルチプレクス、ＭＰＥＧ復号化などの処理を施され、使用者が選択したサービス番号の番組の映像信号及び音声信号が出力される。映像信号は液晶ディスプレイ、ＥＬディスプレイなどの映像表示部３０４に表示される。また、音声信号はスピーカ、イヤホン（ヘッドホン）出力端子などの音声出力部３０５から出力される。
【００３２】
尚、リモコン装置の表示部にテレビ受信機と異なる番組を表示している場合、リモコン装置から音声が出力されると、テレビ受信機での番組の視聴の妨げになる場合もあるので、音声ミュート機能を備えることが望ましい。
【００３３】
また、リモコン装置１０３の表示部１０４に表示をさせた番組をテレビ受信機１０１で視聴する場合は、操作入力部３０６の操作（具体的には、図２に示したサービス番号送信ボタン２０６）により、リモコン装置に表示しているサービス番号のリモコンコードを送信部３０８からテレビ受信機１０１に向けて送信する。
【００３４】
即ち、例えば、テレビ受信機１０１でサービス番号５６７の番組を視聴しており、リモコン装置１０３でサービス番号３２１の番組を表示していた時に、テレビ受信機１０１の大画面でサービス番号３２１の番組を視聴したいと欲した場合、リモコン装置１０３に設けられたサービス番号送信ボタン２０６を操作することでテレビ受信機１０１に対してサービス番号３２１に対応するリモコンコードが送信され、これにより、テレビ受信機１０１での選局がサービス番号３２１に切り換えられる。
【００３５】
これにより、いちいちサービス番号を入力しなくても、ワンタッチで、リモコン装置に表示している番組のサービス番号をテレビ受信機に送信することができる。
【００３６】
尚、以上の実施形態では、テレビ受信機を被制御機器として制御するリモコン装置として説明してきたが、テレビ受信機に限らず、地上デジタル放送受信用のチューナを搭載したＤＶＤレコーダ、ＨＤＤレコーダなどの録画機器でも同様に適用することができる。
【００３７】
例えば、リモコン装置１０３でサービス番号３２１の番組を表示していた時に、ＤＶＤレコーダ（またはＨＤＤレコーダ）にサービス番号３２１の番組を録画したいと欲した場合、リモコン装置１０３に設けられた録画指示ボタン（図示せず）を操作することでＤＶＤレコーダなどに対してサービス番号３２１に対応するリモコンコードおよび録画を指令するリモコンコードなどが送信され、これにより、ＤＶＤレコーダなどでサービス番号３２１のサービスが録画される。
【００３８】
加えて、リモコン装置からテレビ受信機に対して送信する放送の情報としては、サービス番号に限らず、予約情報なども考えられる。
【００３９】
即ち、リモコン装置１０３で電子番組表を取得し、その電子番組表を基に録画予約、視聴予約などを設定し、その設定した予約情報をテレビ受信機１０１またはＤＶＤレコーダ、ＨＤＤレコーダなどの録画機器に対して送信することも可能である。
【００４０】
次に、本発明にかかるリモコン装置の第二の実施形態について説明する。
（第二の実施形態）
図４は、本発明の第二の実施形態にかかるリモコン装置の外観図である。図２と同様の構成要素には同じ符号を付し、説明は省略する。
【００４１】
図４において、４０１はテレビ受信機１０１の電源ＯＮ／ＯＦＦ切り換えスイッチであり、４０２はリモコン装置２０１の電源ＯＮ／ＯＦＦ切り換えスイッチである。
【００４２】
また、図５は、本発明の第二の実施形態にかかるリモコン装置のブロック図である。図３と同様の構成要素には同じ符号を付し、説明は省略する。
【００４３】
図５において、５０１は電源制御ラインである。
【００４４】
第一の実施形態との相違は、電源の制御機能を設けた点である。
【００４５】
図４において、テレビ受信機の電源がＯＦＦの状態でテレビ受信機の電源ＯＮ／ＯＦＦ切り換えスイッチ４０１を操作すると（図５における操作入力部３０６の操作に相当）、図３における制御部３０７は、テレビ受信機の電源ＯＮのリモコンコードを発生させる。このリモコンコードは、送信部３０８からテレビ受信機に向けて送信される。これを受けたテレビ受信機は、リモコンコードに従って、電源をＯＮにする。
【００４６】
ここで、リモコン装置の表示部に番組を表示させたい場合は、図４に示したリモコン装置の電源ＯＮ／ＯＦＦ切り換えスイッチ４０２を操作する（図５における操作入力部３０６の操作に相当）。この操作を受けると、図５の制御部３０７は電源制御ライン５０１を通じてチューナ３０２、映像／音声信号処理部３０３、映像表示部３０４、音声出力部３０５に電源を供給するように制御する。即ち、表示部に番組を表示しない場合は、これらの構成要素には、電源は供給されていない。
【００４７】
これによりリモコン装置の電力の消費を削減することができる。
【００４８】
尚、再度、リモコン装置の電源ＯＮ／ＯＦＦ切り換えスイッチ４０２を操作することにより、上記の構成要素への電源の供給を停止し、表示部への番組の表示を終了させることができる。
【００４９】
一方、テレビ受信機の電源がＯＮの状態でテレビ受信機の電源ＯＮ／ＯＦＦ切り換えスイッチ４０１を操作すると（図５における操作入力部３０６の操作に相当）、図３における制御部３０７は、テレビ受信機の電源ＯＦＦのリモコンコードを発生させる。このリモコンコードは、送信部３０８からテレビ受信機に向けて送信される。これを受けたテレビ受信機は、リモコンコードに従って、電源をＯＦＦにする。
【００５０】
ここで、同時に電源制御ライン５０１を通じてチューナ３０２、映像／音声信号処理部３０３、映像表示部３０４、音声出力部３０５への電源供給を停止するように制御することが望ましい。
【００５１】
これにより、別途、リモコン装置の電源の操作をする必要が無く、テレビを視聴していないにも関わらず、リモコンの電源がＯＮになったままの状態を回避することができ、リモコン装置の電力の消費を削減することができる。
【００５２】
もちろん、テレビ受信機の電源がＯＦＦの状態でも、リモコン装置の電源ＯＮ／ＯＦＦ切り換えスイッチ４０２を操作することにより、テレビ受信機の電源ＯＦＦの状態を維持しつつ、リモコン装置の表示部に番組を表示させることができる。
【００５３】
次に本発明にかかるリモコン装置の第三の実施形態について説明する。
（第三の実施形態）
図６は、本発明の第三の実施形態にかかるリモコン装置の外観図である。図２、図４と同様の構成要素には同じ符号を付し、説明は省略する。
【００５４】
図６において、６０１はリモコン装置２０１のバッテリーの残量表示部である。
【００５５】
また、図７は、本発明の第三の実施形態にかかるリモコン装置のブロック図である。図３、図５と同様の構成要素には同じ符号を付し、説明は省略する。
【００５６】
図７において、７０１はバッテリーであり、７０２はバッテリーの残量検出部であり、７０３はバッテリーの残量表示部である。
【００５７】
第一、第二の実施形態との相違は、バッテリーの残量表示手段を設けた点である。
【００５８】
リモコン装置は、取り扱いの便利さや持ち運びの便利さなどから通常バッテリーで動作する。従来のリモコン装置では、その消費電力も少なく、バッテリーの消耗などはあまり気にならなかった。
【００５９】
しかし、本発明にかかるリモコン装置の場合、ワンセグ放送の受信機能や表示機能を有しているため、バッテリーの電力消費が大きくなる。
【００６０】
そのため、本発明のリモコン装置では、従来のリモコン装置ではあまり必要のなかったバッテリーの残量の把握が要求される。
【００６１】
そこで、図７に示すように、バッテリー残量検出部７０２でバッテリー７０１の残量を検出し、その情報を制御部３０７に伝える。制御部３０７は、その情報を基に、バッテリー残量表示部７０３を制御し、使用者にバッテリーの残量を知らせる。
【００６２】
ここで、バッテリーの残量が所定値以下になった場合、制御部３０７は、電源制御ライン５０１を制御し、チューナ３０２、映像／音声信号処理部３０３、映像表示部３０４、音声出力部３０５への電源供給を停止する。また、それと共に、バッテリー残量表示部６０１にその旨を知らせる表示をする。
【００６３】
このような動作により、バッテリー残量が少なくなった場合でも最低限テレビ受信機に対するリモコン機能は確保することができる。
【図面の簡単な説明】
【００６４】
【図１】本発明の概念図である。
【図２】本発明にかかるリモコン装置の第一の外観図である。
【図３】本発明にかかるリモコン装置の第一のブロック図である。
【図４】本発明にかかるリモコン装置の第二の外観図である。
【図５】本発明にかかるリモコン装置の第二のブロック図である。
【図６】本発明にかかるリモコン装置の第三の外観図である。
【図７】本発明にかかるリモコン装置の第三のブロック図である。
【符号の説明】
【００６５】
１０１  テレビ受信機
１０２  テレビ受信機に表示された映像
１０３  リモコン装置
１０４  リモコン装置の表示部
１０５  アンテナ
２０１  リモコン装置
２０２  リモコン装置の表示部
２０３  アンテナ
２０４  テンキー
２０５  ＴＶ／リモコン操作切り換えスイッチ
２０６  サービス番号送信ボタン
３０１  アンテナ
３０２  チューナ
３０３  映像／音声信号処理部
３０４  映像表示部
３０５  音声出力部
３０６  操作入力部
３０７  制御部
３０８  送信部
４０１  ＴＶ電源ボタン
４０２  リモコン電源ボタン
５０１  電源制御ライン
６０１  バッテリー残量表示
７０１  バッテリー
７０２  バッテリー残量検出部
７０３  バッテリー残量表示部
【図１】
2007306366.tif 000003
【図２】
2007306366.tif 000004
【図３】
2007306366.tif 000005
【図４】
2007306366.tif 000006
【図５】
2007306366.tif 000007
【図６】
2007306366.tif 000008
【図７】
2007306366.tif 000009